(57)【特許請求の範囲】
【請求項１】
電話帳データを記憶可能な外部装置との間で電話帳データを近距離無線通信により転送するための電話帳データ転送プロトコルを接続可能な接続手段と、
前記接続手段と外部装置との間で電話帳データ転送プロトコルが接続されている状態で、外部装置から転送された電話帳データを取得する電話帳データ取得手段と、
外部装置から転送されて前記電話帳データ取得手段により取得された電話帳データを記憶する電話帳データ記憶手段と、
外部装置から転送されて前記電話帳データ取得手段により取得された電話帳データを前記電話帳データ記憶手段に記憶させる電話帳データ転送処理を行うことが可能であり、前記電話帳データ記憶手段に記憶されている電話帳データを利用する電話帳データ利用処理を行うことが可能な制御手段と、を備え、
前記電話帳データ記憶手段は、１回の電話帳データ転送プロトコルの接続で外部装置から転送される電話帳データを記憶可能な電話帳データ記憶領域が複数設けられ、
前記制御手段は、前記外部装置から転送されて前記電話帳データ取得手段により取得された電話帳データを複数の電話帳データ記憶領域のうち電話帳データ転送処理の対象とする電話帳データ記憶領域に記憶させる電話帳データ転送処理を行っている場合に、複数の電話帳データ記憶領域のうち電話帳データ利用処理の対象とする電話帳データ記憶領域に記憶されている電話帳データを利用する電話帳データ利用処理を行うことが可能に構成され、電話帳データ利用処理の対象とする電話帳データ記憶領域に記憶されている電話帳データに基づいた発信先未確定画面を発信先未確定画面表示手段に表示させている状態で電話帳データ転送処理を終了した場合には、電話帳データ利用処理の対象とする電話帳データ記憶領域と電話帳データ転送処理の対象とする電話帳データ記憶領域とを切換えることで、電話帳データ転送処理を終了した電話帳データ記憶領域に記憶されている電話帳データに基づいた発信先未確定画面を前記発信先未確定画面表示手段に表示させることを特徴とする電話帳データ処理装置。
【請求項２】
電話帳データを記憶可能な外部装置との間で電話帳データを近距離無線通信により転送するための電話帳データ転送プロトコルを接続可能な接続手段と、
前記接続手段と外部装置との間で電話帳データ転送プロトコルが接続されている状態で、外部装置から転送された電話帳データを取得する電話帳データ取得手段と、
外部装置から転送されて前記電話帳データ取得手段により取得された電話帳データを記憶する電話帳データ記憶手段と、
外部装置から転送されて前記電話帳データ取得手段により取得された電話帳データを前記電話帳データ記憶手段に記憶させる電話帳データ転送処理を行うことが可能であり、前記電話帳データ記憶手段に記憶されている電話帳データを利用する電話帳データ利用処理を行うことが可能な制御手段と、を備え、
前記電話帳データ記憶手段は、１回の電話帳データ転送プロトコルの接続で外部装置から転送される電話帳データを記憶可能な電話帳データ記憶領域が複数設けられ、
前記制御手段は、前記外部装置から転送されて前記電話帳データ取得手段により取得された電話帳データを複数の電話帳データ記憶領域のうち電話帳データ転送処理の対象とする電話帳データ記憶領域に記憶させる電話帳データ転送処理を行っている場合に、複数の電話帳データ記憶領域のうち電話帳データ利用処理の対象とする電話帳データ記憶領域に記憶されている電話帳データを利用する電話帳データ利用処理を行うことが可能に構成され、電話帳データ利用処理の対象とする電話帳データ記憶領域に記憶されている電話帳データに基づいた発信先確定済画面を発信先確定済画面表示手段に表示させている状態で電話帳データ転送処理を終了した場合には、電話帳データ利用処理の対象とする電話帳データ記憶領域と電話帳データ転送処理の対象とする電話帳データ記憶領域とを切換えることなく、電話帳データ利用処理を対象とする電話帳データ記憶領域に記憶されている電話帳データに基づいた発信先確定済画面を前記発信先確定済画面表示手段に表示させ続けることを特徴とする電話帳データ処理装置。
【請求項３】
請求項２に記載した電話帳データ処理装置において、
前記制御手段は、発信先確定済画面を消去させた後に、電話帳データ利用処理の対象とする電話帳データ記憶領域と電話帳データ転送処理の対象とする電話帳データ記憶領域とを切換えることを特徴とする電話帳データ処理装置。
【請求項４】
請求項１から３の何れか一項に記載した電話帳データ処理装置において、
ユーザによる電話帳データの閲覧操作を受付ける閲覧操作受付手段を備え、
前記制御手段は、電話帳データ利用処理として、ユーザによる電話帳データの閲覧操作が前記閲覧操作受付手段により受付けられた場合に、電話帳データ利用処理の対象とする電話帳データ記憶領域に記憶されている電話帳データを電話帳データ表示手段に表示させることを特徴とする電話帳データ処理装置。
【請求項５】
請求項１から３の何れか一項に記載した電話帳データ処理装置において、
ユーザによる電話帳データを利用する発信操作を受付ける発信操作受付手段を備え、
前記制御手段は、電話帳データ利用処理として、ユーザによる電話帳データを利用する発信操作が前記発信操作受付手段により受付けられた場合に、電話帳データ利用処理の対象とする電話帳データ記憶領域に記憶されている電話帳データを利用して発信することを特徴とする電話帳データ処理装置。
【請求項６】
請求項１から３の何れか一項に記載した電話帳データ処理装置において、
外部装置への着信を検出する着信検出手段を備え、
前記制御手段は、電話帳データ利用処理として、外部装置への着信が前記着信検出手段により検出された場合に、電話帳データ利用処理の対象とする電話帳データ記憶領域に記憶されている電話帳データに基づいた発信者情報を発信者情報表示手段に表示させることを特徴とする電話帳データ処理装置。
【発明の詳細な説明】
【技術分野】
【０００１】
本発明は、電話帳データを記憶可能な外部装置から転送された電話帳データを取得して記憶させる電話帳データ処理装置に関する。
【背景技術】
【０００２】
近距離無線通信機能を有する携帯電話機が車室内に持ち込まれ、その車室内に持ち込まれた携帯電話機と、車両に搭載されている近距離無線通信機能を有する車載装置とが両者の間で近距離無線通信可能な状態では、携帯電話機に記憶されている電話帳データをユーザが車載装置を操作して閲覧可能となるように、電話帳データの転送を規定する電話帳データ転送プロトコルを両者の間で接続することで、携帯電話機に記憶されている電話帳データが携帯電話機から車載装置に転送される構成が開示されている（例えば特許文献１参照）。
【先行技術文献】
【特許文献】
【０００３】
【特許文献１】特開２００３−１９８７１３号公報
【発明の概要】
【発明が解決しようとする課題】
【０００４】
ところで、車載装置においては、携帯電話機から転送された電話帳データを取得して記憶させる電話帳データ転送処理を行うものであるが、電話帳データ転送処理を行っている場合には、電話帳データを利用する電話帳データ利用処理を行うことができない。そのため、ユーザにおいては、携帯電話機から車載装置に電話帳データが転送されている間は、電話帳データを閲覧することができなかったり、電話帳データを利用して発信することができなかったり、携帯電話機への着信が発生しても電話帳データに基づいた発信者情報（発信者の名前等）を認識することができない等、操作性に劣るという問題があった。
【０００５】
本発明は、上記した事情に鑑みてなされたものであり、その目的は、外部装置から転送された電話帳データを取得して記憶させる電話帳データ転送処理を行っている途中でも、電話帳データを利用する電話帳データ利用処理を行うことができ、ユーザの操作性を高めることができる電話帳データ処理装置を提供することにある。
【課題を解決するための手段】
【０００６】
請求項１に記載した発明によれば、接続手段は、電話帳データを記憶可能な外部装置との間で電話帳データを近距離無線通信により転送するための電話帳データ転送プロトコルを接続可能であり、電話帳データ取得手段は、接続手段と外部装置との間で電話帳データ転送プロトコルが接続されている状態で、外部装置から転送された電話帳データを取得し、電話帳データ記憶手段は、外部装置から転送されて電話帳データ取得手段により取得された電話帳データを記憶する。制御手段は、外部装置から転送されて電話帳データ取得手段により取得された電話帳データを電話帳データ記憶手段に記憶させる電話帳データ転送処理を行うことが可能であり、電話帳データ記憶手段に記憶されている電話帳データを利用する電話帳データ利用処理を行うことが可能である。
【０００７】
ここで、電話帳データ記憶手段は、１回の電話帳データ転送プロトコルの接続で外部装置から転送される電話帳データを記憶可能な電話帳データ記憶領域が複数設けられ、制御手段は、外部装置から転送されて電話帳データ取得手段により取得された電話帳データを複数の電話帳データ記憶領域のうち電話帳データ転送処理の対象とする電話帳データ記憶領域に記憶させる電話帳データ転送処理を行っている場合に、複数の電話帳データ記憶領域のうち電話帳データ利用処理の対象とする電話帳データ記憶領域に記憶されている電話帳データを利用する電話帳データ利用処理を行うことが可能に構成されている。
【０００８】
これにより、電話帳データ記憶手段に、電話帳データ転送処理の対象とする電話帳データ記憶領域と、電話帳データ利用処理の対象とする電話帳データ記憶領域とを設け、電話帳データ転送処理と電話帳データ利用処理とを独立して行うことで、外部装置から転送された電話帳データを取得して記憶させる電話帳データ転送処理を行っている途中でも、電話帳データを利用する電話帳データ利用処理を行うことができ、ユーザの操作性を高めることができる。
又、制御手段は、電話帳データ利用処理の対象とする電話帳データ記憶領域に記憶されている電話帳データに基づいた発信先未確定画面を発信先未確定画面表示手段に表示させている状態で電話帳データ転送処理を終了すると、電話帳データ利用処理の対象とする電話帳データ記憶領域と電話帳データ転送処理の対象とする電話帳データ記憶領域とを切換えることで、電話帳データ転送処理を終了した電話帳データ記憶領域に記憶されている電話帳データに基づいた発信先未確定画面を発信先未確定画面表示手段に表示させる。
これにより、ユーザが発信先をこれから確定しようとする発信先未確定画面を表示している状態で電話帳データ転送処理を終了すると、電話帳データ転送処理を終了した電話帳データ記憶領域に記憶されている電話帳データ、即ち、外部装置から転送された最新の電話帳データに基づいた発信先未確定画面を表示することで、ユーザは外部装置から転送された最新の電話帳データを参照した上で発信先を確定することができる。
請求項２に記載した発明によれば、制御手段は、電話帳データ利用処理の対象とする電話帳データ記憶領域に記憶されている電話帳データに基づいた発信先確定済画面を発信先確定済画面表示手段に表示させている状態で電話帳データ転送処理を終了すると、電話帳データ利用処理の対象とする電話帳データ記憶領域と電話帳データ転送処理の対象とする電話帳データ記憶領域とを切換えることなく、電話帳データ利用処理を対象とする電話帳データ記憶領域に記憶されている電話帳データに基づいた発信先確定済画面を発信先確定済画面表示手段に表示させ続ける。
これにより、ユーザが発信先を確定した発信先確定済画面を表示している状態で電話帳データ転送処理を終了したとしても、その発信先確定済画面を表示し続けることで、例えばユーザが確定した発信先がユーザの意図に反して消去されたりすることがなく、ユーザは自らが確定した発信先に確実に発信することができる。
請求項３に記載した発明によれば、制御手段は、発信先確定済画面を消去させた後に、電話帳データ利用処理の対象とする電話帳データ記憶領域と電話帳データ転送処理の対象とする電話帳データ記憶領域とを切換える。これにより、ユーザが発信先確定済画面を消去した後に、電話帳データ転送処理を終了した電話帳データ記憶領域に記憶されている電話帳データ、即ち、外部装置から転送された最新の電話帳データを利用することができる。
【０００９】
請求項４に記載した発明によれば、制御手段は、電話帳データ利用処理として、ユーザによる電話帳データの閲覧操作が閲覧操作受付手段により受付けられると、電話帳データ利用処理の対象とする電話帳データ記憶領域に記憶されている電話帳データを電話帳データ表示手段に表示させる。これにより、外部装置から転送された電話帳データを取得して記憶させる電話帳データ転送処理を行っている途中でも、ユーザが電話帳データの閲覧操作を行うことで電話帳データを閲覧することができる。
【００１０】
請求項５に記載した発明によれば、制御手段は、電話帳データ利用処理として、ユーザによる電話帳データを利用する発信操作が発信操作受付手段により受付けられた場合に、電話帳データ利用処理の対象とする電話帳データ記憶領域に記憶されている電話帳データを利用して発信する。これにより、外部装置から転送された電話帳データを取得して記憶させる電話帳データ転送処理を行っている途中でも、ユーザが電話帳データを利用する発信操作を行うことで電話帳データを利用して発信することができる。
【００１１】
請求項６に記載した発明によれば、制御手段は、電話帳データ利用処理として、外部装置への着信が着信検出手段により検出された場合に、電話帳データ利用処理の対象とする電話帳データ記憶領域に記憶されている電話帳データに基づいた発信者情報を発信者情報表示手段に表示させる。これにより、外部装置から転送された電話帳データを取得して記憶させる電話帳データ転送処理を行っている途中でも、外部装置への着信が発生すると、電話帳データに基づいた発信者情報（発信者の名前等）を表示することができ、ユーザは電話帳データに基づいた発信者情報を認識することができる。
【図面の簡単な説明】
【００１７】
【図１】本発明の一実施形態を示す機能ブロック図
【図２】電話機能画面及びリスト一覧画面を示す図
【図３】リスト選択済画面及び通話中画面を示す図
【図４】フローチャート
【図５】図４相当図
【図６】図４相当図
【図７】リスト一覧画面を示す図
【発明を実施するための形態】
【００１８】
以下、本発明の一実施形態について、図面を参照して説明する。尚、ここでは、Ｂｌｕｅｔｏｏｔｈ（登録商標）（以下、ＢＴと称する）通信（本発明でいう近距離無線通信に相当）機能を有するＢＴ対応の車載装置が搭載されている車両の車室内に、ＢＴ通信機能を有するＢＴ対応の携帯電話機が車室内に持込まれ、車載装置と携帯電話機とがＢＴ通信可能な状態にある場合を説明する。
【００１９】
ＢＴ通信システム１は、車両に搭載されている車載装置２（本発明でいう電話帳データ処理装置に相当）と、車室内に持込まれた携帯電話機３（本発明でいう外部装置に相当）とから構成される。車載装置２は、制御部４（本発明でいう制御手段、着信検出手段に相当）と、ＢＴ通信部５（本発明でいう接続手段、電話帳データ取得手段に相当）と、記憶部６（本発明でいう電話帳データ記憶手段に相当）と、音声処理部７と、表示制御部８と、操作入力部９（本発明でいう閲覧操作受付手段、発信操作受付手段に相当）と、信号入力部１０とを備えて構成されている。
【００２０】
制御部４は、周知のマイクロコンピュータからなるＣＰＵ、ＲＡＭ、ＲＯＭ及びＩ／Ｏバス等を有し、車載装置２の通信動作やデータ管理動作等の動作全般を制御する。ＢＴ通信部５は、携帯電話機３との間でＢＴ通信を行う機能を有し、ＢＴの通信規格で規定されている複数のプロファイルとして、ハンズフリー通話を規定するＨＦＰ（Hands Free Profile）や、電話帳データの転送を規定するＰＢＡＰ（Phone Book Access Profile）や、各種データの転送を規定するＯＰＰ（Object Push Profile）を同時接続（所謂マルチプロファイル接続）可能に構成されている。これらＨＦＰやＰＢＡＰやＯＰＰは機能毎に定義された通信プロトコルを意味している。
【００２１】
ＰＢＡＰは所謂プル型の電話帳データの転送を規定しているプロファイルであり、ＢＴ通信部５と携帯電話機３との間でＰＢＡＰが接続されている状態では、ユーザが携帯電話機３を何ら操作する必要なく車載装置２側を操作するだけで、携帯電話機３に記憶されている電話帳データが携帯電話機３から車載装置２に転送される。一方、ＯＰＰは所謂プッシュ型の電話帳データの転送を規定しているプロファイルであり、ＢＴ通信部５と携帯電話機３との間でＯＰＰが接続されている状態では、ユーザが携帯電話機３と車載装置２側との双方を操作しなければ、携帯電話機３に記憶されている電話帳データが携帯電話機３から車載装置２に転送されない。
【００２２】
記憶部６は、各種データを記憶する記憶領域を有し、携帯電話機３から転送されてＢＴ通信部５により取得された電話帳データを記憶する第１の電話帳データ記憶領域６ａ及び第２の電話帳データ記憶領域６ｂを有している。電話帳データとは、電話番号と登録名や電子メールアドレス等との対応を表すデータである。これら第１の電話帳データ記憶領域６ａ及び第２の電話帳データ記憶領域６ｂの各々は、１回のＰＢＡＰ又はＯＰＰの接続で携帯電話機３から転送される電話帳データを記憶可能な記憶容量を有する。尚、記憶部６は、電話帳データを記憶する電話帳データ記憶領域６ａ、６ｂの他に、車載装置２からの発信動作又は当該車載装置２との間でＨＦＰを接続している携帯電話機３からの発信動作に係る発信時刻と発信電話番号との対応を表す発信履歴データを記憶する発信履歴データ記憶領域や、車載装置２との間でＨＦＰを接続している携帯電話機３の着信動作に係る着信時刻と着信電話番号との対応を表す着信履歴データを記憶する着信履歴データ記憶領域等をも有している。
【００２３】
音声処理部７には車室内にあって例えばハンドルの近傍等のユーザが発した音声を集音し易い部位に配置されているマイクロホン１１が接続されていると共に、車載装置２の外部に配置されているオーディオアンプ１２が接続されており、オーディオアンプ１２にはスピーカ１３ａ、１３ｂが接続されている。
【００２４】
音声処理部７は、ＢＴ通信部５と携帯電話機３との間でＨＦＰが接続されている状態では、ユーザが発した音声をマイクロホン１１から送話音声データとして入力すると、その入力した送話音声データを音声処理してＢＴ通信部５に出力し、ＢＴ通信部５から受話音声データを入力すると、その入力した受話音声データをオーディオアンプ１２に出力する。
【００２５】
オーディオアンプ１２は、音声処理部７から受話音声データを入力すると、その入力した受話音声データを増幅してスピーカ１３ａ、１３ｂから出力させる。又、オーディオアンプ１２にはチューナーデッキ１４も接続されており、オーディオアンプ１２はチューナーデッキ１４が例えば音楽用記録媒体から再生した楽曲音やラジオ放送局から受信したラジオ番組を当該チューナーデッキ１４から入力すると、その入力した楽曲音やラジオ番組を増幅してスピーカ１３ａ、１３ｂから出力させる。
【００２６】
ディスプレイ装置１５は、各種表示画面を表示する表示装置１６（本発明でいう電話帳データ表示手段、発信者情報表示手段、発信先未確定画面表示手段、発信先確定済画面表示手段に相当）と、表示画面上にタッチスイッチを形成する操作装置１７とを備えて構成されている。表示制御部８は、制御部４から表示指令信号を入力すると、その入力した表示指令信号に基づいてディスプレイ装置１５における表示装置１６の表示動作を制御する。操作入力部９は、ユーザが表示画面上に形成されているタッチスイッチを操作したことに応じて操作装置１７から操作検出信号を入力すると、その入力した操作検出信号を制御部４に出力し、制御部４は、操作入力部９から入力した操作検出信号を解析してユーザの操作を特定する。
【００２７】
信号入力部１０は、車両に搭載されているＡＣＣ（アクセサリ）スイッチに接続されており、ＡＣＣスイッチから出力されたＡＣＣ信号を入力すると、その入力したＡＣＣ信号を制御部４に出力し、制御部４は、信号入力部１０から入力したＡＣＣ信号のオンオフに基づいて装置電源をオンオフする。即ち、制御部４は、ＡＣＣ信号がオフからオンに切換わったタイミングで装置電源をオンし（車載装置２を起動し）、ＡＣＣ信号がオンからオフに切換わったタイミングで装置電源をオフする（車載装置２を停止する）。
【００２８】
携帯電話機３は、自機の動作全般を制御する制御部と、通信網１９との間で電話通信を行う電話通信部と、ＢＴ通信を行うＢＴ通信部と、ユーザが操作する各種キーが配列されてなるキー入力部と、電話帳データを記憶する電話帳データ記憶領域１８を有する記憶部と、各種表示画面を表示する表示部と、ユーザが発した音声を入力するマイクロホンと、通話相手から受信した音声を受話音声として出力するスピーカとを備えて構成されている。この場合、携帯電話機３のＢＴ通信部は、車載装置２との間でＢＴ通信を行う機能を有し、車載装置２のＢＴ通信部５と同様にして、ＢＴの通信規格で規定されている複数のプロファイルとしてＨＦＰやＰＢＡＰやＯＰＰ等を同時接続可能に構成されている。尚、通信網１９は携帯電話基地局や基地局制御装置等の周知の携帯電話通信サービスを提供する設備を含むものである。
【００２９】
上記した構成では、記憶部６における第１の電話帳データ記憶領域６ａ及び第２の電話帳データ記憶領域６ｂには各々を特定する識別子が付与されており、制御部４は、第１の電話帳データ記憶領域６ａを識別子「１」により特定し、第２の電話帳データ記憶領域６ｂを識別子「２」により特定する。そして、制御部４は、第１の電話帳データ記憶領域６ａ及び第２の電話帳データ記憶領域６ｂの各々の動作を管理する機能を有しており、第１の電話帳データ記憶領域６ａ及び第２の電話帳データ記憶領域６ｂのうち一方を電話帳データ転送処理の対象とすると同時に他方を電話帳データ利用処理の対象とするように排他的に（独立して）管理する。
【００３０】
即ち、制御部４は、ＢＴ通信部５と携帯電話機３との間でＰＢＡＰやＯＰＰが接続されている状態で、携帯電話機３から転送されてＢＴ通信部５により取得された電話帳データを第１の電話帳データ記憶領域６ａ及び第２の電話帳データ記憶領域６ｂのうち電話帳データ転送処理の対象として設定している電話帳データ記憶領域に記憶させる電話帳データ転送処理を行うことが可能であり、第１の電話帳データ記憶領域６ａ及び第２の電話帳データ記憶領域６ｂのうち電話帳データ利用処理の対象として設定している電話帳データ記憶領域に記憶されている電話帳データを利用する電話帳データ利用処理を行うことが可能である。
【００３１】
この場合、制御部４は、電話帳データ転送処理と電話帳データ利用処理とを同時に行うことが可能である。即ち、制御部４は、第１の電話帳データ記憶領域６ａ及び第２の電話帳データ記憶領域６ｂのうち電話帳データ転送処理の対象とする電話帳データ記憶領域により電話帳データ転送処理を行うと同時に、第１の電話帳データ記憶領域６ａ及び第２の電話帳データ記憶領域６ｂのうち電話帳データ利用処理の対象とする電話帳データ記憶領域により電話帳データ利用処理を行うことが可能である。
【００３２】
ここで、電話帳データ利用処理とは、ユーザが電話帳データの閲覧操作を操作装置１７にて行った場合に、電話帳データ利用処理の対象とする電話帳データ記憶領域に記憶されている電話帳データを表示装置１６に表示させる処理や、ユーザが電話帳データを利用する発信操作を操作装置１７にて行った場合に、電話帳データ利用処理の対象とする電話帳データ記憶領域に記憶されている電話帳データを利用して発信する処理や、携帯電話機３への着信を検出した場合に、電話帳データ利用処理の対象とする電話帳データ記憶領域に記憶されている電話帳データに基づいた発信者情報を表示装置１７に表示させる処理を含む。
【００３３】
又、制御部４は、図２（ａ）に示す電話機能画面（Ｐｈｏｎｅ画面）２１、図２（ｂ）に示すリスト一覧画面（Ｃｏｎｔａｃｔｓ画面）２２、図３（ａ）に示すリスト選択済画面（Ｃｏｎｔａｃｔ  Ｄａｔａ画面）２３、図３（ｂ）に示す通話中画面（Ｃａｌｌ画面）２４を表示装置１７に表示させることが可能である。これらのうち電話機能画面２１及びリスト一覧画面２２は、ユーザが発信先を確定していない（これから発信先を確定しようとする）発信先未確定画面に相当し、リスト選択済画面２３及び通話中画面２４は、ユーザが発信先を確定した発信先確定済画面に相当する。
【００３４】
制御部４は、メニュー画面（図示せず）が表示装置１７に表示されている状態で、ユーザがメニュー画面にて電話機能画面を選択する操作を行ったと判定すると、電話機能画面２１を表示装置１７に表示させる。電話機能画面２１では、「０」〜「９」の数字キー２１ａ、「Ｍｅｓｓａｇｅ」キー２１ｂ、「Ｃｏｎｎｅｃｔ  Ｐｈｏｎｅ」キー２１ｃ、「発信」キー２１ｄ、「Ｃｏｎｔａｃｔｓ」キー２１ｅ、「Ｓｐｅｅｄ  Ｄｉａｌｓ」キー２１ｆ、「Ｃａｌｌ  Ｈｉｓｔｏｒｙ」キー２１ｇ、「Ｂａｃｋ」キー２１ｈ等がタッチキーとして形成されている。
【００３５】
制御部４は、電話機能画面２１が表示装置１７に表示されている状態で、ユーザが電話機能画面２１にて「Ｃｏｎｔａｃｔｓ」キー２１ｅを押下したと判定すると、リスト一覧画面２２を表示装置１７に表示させる。リスト一覧画面２２では、電話帳データ利用処理の対象とする電話帳データ記憶領域に記憶されている電話帳データのリスト（登録名）を特定可能な「リスト」キー２２ａ（図２（ｂ）では５個を示す）、「Ｔｒａｎｓｆｅｒ」キー２２ｂ、「Ｏｐｔｉｏｎｓ」キー２２ｃ、「Ｂａｃｋ」キー２２ｄ等がタッチキーとして形成されている。
【００３６】
制御部４は、リスト一覧画面２２が表示装置１７に表示されている状態で、ユーザがリスト一覧画面２２にて何れかのリストを選択する操作（図２では「Ａｎｄｒｅｗ」を選択する操作）を行ったと判定すると、ユーザが選択したリストに対応するリスト選択済画面２３を表示装置１７に表示させる。リスト選択済画面２３では、ユーザが選択したリストに対応して記憶されている電話番号を特定可能な「電話番号」キー２３ａ（図３（ａ）では３個を示す）、「発信」キー２３ｂ、「Ｏｐｔｉｏｎｓ」キー２３ｃ、「Ｂａｃｋ」キー２３ｄ等がタッチキーとして形成されている。
【００３７】
制御部４は、リスト選択済画面２３が表示装置１７に表示されている状態で、ユーザがリスト選択済画面２３にて「発信」キー２３ｂを押下したと判定すると、呼出中画面（図示せず）を表示装置１７に表示させ、呼出先が応答したと判定すると、通話中画面２４を表示装置１７に表示させる。通話中画面では、ユーザが選択したリスト（通話相手）を特定可能な通話相手情報２４ａ、「Ｍｕｔｅ」キー２４ｂ、「Ｈａｎｄｓｅｔ  Ｍｏｄｅ」キー２４ｃ、「＋」キー２４ｄ、「−」キー２４ｅ等がタッチキーとして形成されている。
【００３８】
次に、上記した構成の作用について、図４乃至図７を参照して説明する。図４乃至図６は車載装置２が行う処理をフローチャートにより示している。尚、この場合、ＢＴ通信部５と携帯電話機３との間でＰＢＡＰが接続されている場合を説明する。
【００３９】
制御部４は、車載装置２の装置電源がオン（ＡＣＣスイッチがオン）している状態では、メイン処理を行い、メイン処理におけるサブ処理として、電話帳データ転送監視処理を行い（ステップＳ１）、電話帳データ更新監視処理を行う（ステップＳ２）。即ち、制御部４は、電話帳データ転送監視処理及び電話帳データ更新監視処理を所定周期で定期的に行う。以下、各処理について順次説明する。尚、制御部４は、車載装置２の装置電源がオフすると、メイン処理を終了する。
【００４０】
（１）電話帳データ転送監視処理
制御部４は、メイン処理から電話帳データ転送監視処理への移行タイミングになると、電話帳データ転送監視処理を開始する。制御部４は、電話帳データ転送監視処理を開始すると、携帯電話機３から車載装置２への電話帳データの転送トリガが発生したか否かを判定し（ステップＳ１１）、携帯電話機３から車載装置２への電話帳データの転送トリガが発生していないと判定すると（ステップＳ１１にて「ＮＯ」）、電話帳データ転送監視処理を終了してメイン処理にリターンする。
【００４１】
一方、制御部４は、例えばユーザが電話帳データの転送を指示する操作を操作装置１７にて行ったと判定し、携帯電話機３から車載装置２への電話帳データの転送トリガが発生したと判定すると（ステップＳ１１にて「ＹＥＳ」）、その時点で第１の電話帳データ記憶領域６ａ及び第２の電話帳データ記憶領域６ｂのうち何れが電話帳データ転送処理の対象であるかを特定する（ステップＳ１２）。制御部４は、第１の電話帳データ記憶領域６ａ及び第２の電話帳データ記憶領域６ｂのうち何れが電話帳データ転送処理の対象であるかを特定すると、電話帳データ転送処理の対象であると特定した電話帳データ記憶領域に対して電話帳データ転送処理を行う（ステップＳ１３）。
【００４２】
即ち、制御部４は、携帯電話機３から転送されてＢＴ通信部５により取得された電話帳データを第１の電話帳データ記憶領域６ａ及び第２の電話帳データ記憶領域６ｂのうち電話帳データ転送処理の対象であると特定した電話帳データ記憶領域に記憶させる。この場合、上記したように、携帯電話機３から転送されてＢＴ通信部５により取得された電話帳データを電話帳データ転送処理の対象であると特定した電話帳データ記憶領域に記憶させる電話帳データ転送処理を行っている途中でも、電話帳データ利用処理の対象である（電話帳データ転送処理の対象であると特定していない）電話帳データ記憶領域を利用する電話帳データ利用処理を行うことが可能である。
【００４３】
次いで、制御部４は、電話帳データ転送処理を終了すると、その時点で発信先未確定画面（上記した電話機能画面２１又はリスト一覧画面２２）や発信先確定済画面（上記したリスト選択済画面２３又は通話中画面２４）を表示装置１６に表示させているか否かを判定する（ステップＳ１４、Ｓ１５）。
【００４４】
ここで、制御部４は、電話帳データ転送処理を終了した直後の時点で発信先未確定画面及び発信先確定済画面の何れをも表示装置１６に表示させていないと判定すると（ステップＳ１４にて「ＮＯ」、ステップＳ１５にて「ＮＯ」）、電話帳データを更新する電話帳データ更新処理を行い（ステップＳ１６）、電話帳データ転送監視処理を終了してメイン処理にリターンする。即ち、制御部４は、第１の電話帳データ記憶領域６ａ及び第２の電話帳データ記憶領域６ｂのうち電話帳データ転送処理の対象とする電話帳データ記憶領域と電話帳データ利用処理の対象とする電話帳データ記憶領域とを切換え、携帯電話機３から転送された最新の電話帳データが記憶されている電話帳データ記憶領域を電話帳データ利用処理の対象とし、それまで電話帳データ利用処理の対象としていた電話帳データ記憶領域を電話帳データ転送処理の対象とする。
【００４５】
一方、制御部４は、電話帳データ転送処理を終了した直後の時点で発信先未確定画面を表示装置１６に表示させていると判定すると（ステップＳ１４にて「ＹＥＳ」）、この場合も、電話帳データを更新する電話帳データ更新処理を行い（ステップＳ１７）、続いて、その時点で表示させている発信先未確定画面を更新する必要があるか否かを判定する（ステップＳ１８）。制御部４は、その時点で表示させている発信先未確定画面を更新する必要がないと判定すると（ステップＳ１８にて「ＮＯ」）、電話帳データ転送監視処理を終了してメイン処理にリターンする。
【００４６】
一方、制御部４は、その時点で表示させている発信先未確定画面を更新する必要があると判定すると（ステップＳ１８にて「ＹＥＳ」）、その時点で表示させている発信先未確定画面を携帯電話機３から転送された最新の電話帳データに基づいて更新し（ステップＳ１９）、電話帳データ転送監視処理を終了してメイン処理にリターンする。即ち、制御部４は、図７に示すように、図２（ｂ）に示したリスト一覧画面２２を表示装置１６に表示させており、携帯電話機３から転送された最新の電話帳データに新たに「Ｂｉｌｌ○○○○」が追加されている場合であれば、発信先未確定画面を更新する必要があると判定し、携帯電話機３から転送された最新の電話帳データに基づいたリスト一覧画面２２を表示装置１６に表示させ、リスト一覧画面２２を更新する。
【００４７】
又、制御部４は、電話帳データ転送処理を終了した直後の時点で発信先確定済画面を表示装置１６に表示させていると判定すると（ステップＳ１５にて「ＹＥＳ」）、この場合は、電話帳データ転送処理を終了した直後に電話帳データ更新処理を行うことはなく、電話帳データ転送処理を行った後に電話帳データ更新処理を行ったか否かを示す未更新フラグを、電話帳データ転送処理を行ったが電話帳データ更新処理を行っていないことを示す「１」に設定し（ステップＳ２０）、電話帳データ転送監視処理を終了してメイン処理にリターンする。
【００４８】
（２）電話帳データ更新監視処理
制御部４は、メイン処理から電話帳データ更新監視処理への移行タイミングになると、電話帳データ更新監視処理を開始する。制御部４は、電話帳データ更新監視処理を開始すると、上記した未更新フラグを「１」に設定しているか否かを判定し（ステップＳ２１）、未更新フラグを「１」に設定している、即ち、電話帳データ転送処理を行ったが電話帳データ更新処理を行っていないと判定すると（ステップＳ２１にて「ＹＥＳ」）、その時点で発信先確定済画面を表示装置１６に表示させているか否かを判定する（ステップＳ２２）。
【００４９】
ここで、制御部４は、発信先確定済画面を表示装置１６に表示させていると判定すると（ステップＳ２２にて「ＹＥＳ」）、電話帳データを更新する電話帳データ更新処理を行うことなく、電話帳データ更新監視処理を終了してメイン処理にリターンする。
【００５０】
一方、制御部４は、発信先確定済画面を表示装置１６に表示させていないと判定すると（ステップＳ２２にて「ＮＯ」）、即ち、発信先確定済画面の表示を終了したと判定すると、電話帳データを更新する電話帳データ更新処理を行い（ステップＳ２３）、未更新フラグを、電話帳データ更新処理を行ったことを示す「０」に設定し（ステップＳ２４）、電話帳データ更新監視処理を終了してメイン処理にリターンする。
【００５１】
即ち、上記した構成では、制御部４は、電話帳データ転送処理を終了した直後の時点でリスト一覧画面２２を表示させていれば、その時点で電話帳データ転送処理の対象とする電話帳データ記憶領域と電話帳データ利用処理の対象とする電話帳データ記憶領域とを切換える電話帳データ更新処理を行い、携帯電話機３から転送された最新の電話帳データに基づいたリスト一覧画面２２を表示させる。
【００５２】
一方、制御部４は、電話帳データ転送処理を終了した直後の時点でリスト選択済画面２３を表示させていれば、その時点で電話帳データ転送処理の対象とする電話帳データ記憶領域と電話帳データ利用処理の対象とする電話帳データ記憶領域とを切換える電話帳データ更新処理を行うことはなく、携帯電話機３から最新の電話帳データ転送される前の電話帳データに基づいたリスト選択済画面２３を表示させ続け、リスト選択済画面２３が消去された（例えばリスト選択済画面２３にて「Ｂａｃｋ」キー２３ｄが押下され、リスト一覧画面２２が再表示された）後に、電話帳データ更新処理を行う。
【００５３】
以上に説明したように本実施形態によれば、車載装置２において、第１の電話帳データ記憶領域６ａ及び第２の電話帳データ記憶領域６ｂを有し、第１の電話帳データ記憶領域６ａ及び第２の電話帳データ記憶領域６ｂのうち一方を電話帳データ転送処理の対象とすると同時に他方を電話帳データ利用処理の対象とするように排他的に管理し、携帯電話機３から転送された電話帳データを電話帳データ転送処理の対象とする電話帳データ記憶領域に記憶させている途中でも、電話帳データ利用処理の対象とする電話帳データ記憶領域に記憶されている電話帳データを利用することを可能に構成したので、電話帳データ転送処理を行っている途中でも、電話帳データを閲覧したり、電話帳データを利用する発信操作を行ったり、電話帳データに基づいた発信者情報を認識したりすることができ、操作性を高めることができる。
【００５４】
又、電話帳データ転送処理を終了した直後の時点でリスト一覧画面２２を表示させている場合に、その時点で電話帳データ更新処理を行い、携帯電話機３から転送された最新の電話帳データに基づいたリスト一覧画面２２を表示させるように構成したので、携帯電話機３から転送された最新の電話帳データを参照した上で発信先を確定することができる。
【００５５】
又、電話帳データ転送処理を終了した直後の時点でリスト選択済画面２３を表示させている場合に、その時点で電話帳データ更新処理を行うことがなく、携帯電話機３から最新の電話帳データが転送される前の電話帳データに基づいたリスト選択済画面２３を表示させ続けるように構成したので、例えばユーザが確定した発信先がユーザの意図に反して消去されたりすることがなく、ユーザは自らが確定した発信先に確実に発信することができる。
【００５６】
本発明は、上記した実施形態にのみ限定されるものではなく、以下のように変形又は拡張することができる。
車載装置は、携帯電話機との間で近距離無線通信可能であり、携帯電話機から転送された電話帳データを取得して記憶可能な構成であれば、周知のナビゲーション機能を有するナビゲーション装置等であっても良い。
携帯電話機は、車載装置との間で近距離無線通信可能であり、電話帳データを車載装置に転送可能な構成であれば、携帯情報端末等であっても良い。
車載装置と携帯電話機とが両者の間でＢＴ通信を行うことに限らず、両者の間で他の近距離無線通信を行っても良い。
【符号の説明】
【００５７】
図面中、２は車載装置（電話帳データ処理装置）、３は携帯電話機３（外部装置）、４は制御部（制御手段、着信検出手段）、５はＢＴ通信部（接続手段、電話帳データ取得手段）、６は記憶部（電話帳データ記憶手段）、９は操作入力部（閲覧操作受付手段、発信操作受付手段）、１６は表示装置（電話帳データ表示手段、発信者情報表示手段、発信先未確定画面表示手段、発信先確定済画面表示手段）である。
【図１】
0005603257.tif 000002
【図２】
0005603257.tif 000003
【図３】
0005603257.tif 000004
【図４】
0005603257.tif 000005
【図５】
0005603257.tif 000006
【図６】
0005603257.tif 000007
【図７】
0005603257.tif 000008